(57)【特許請求の範囲】
【請求項１】
ファンを介して加圧空気を室内に供給することにより、前記室内の気圧を高圧に維持し、周囲の環境から前記室内への空気の侵入を防止するように構成するとともに、前記ファンが加圧システムの起動・停止を伴うことなく独立の状態でも起動・停止可能に構成されている防爆室の加圧システムであって、
前記ファンの起動・停止を検出するとともに、当該加圧システムの起動・停止を検出し、前記ファンおよび前記加圧システムの何れもが起動状態の場合にこのことを表すランプを点灯させるように構成した制御系を有し、
前記制御系は、前記加圧システムを起動するためのシステム起動スイッチおよびファン起動スイッチとを有するとともに、
前記システム起動スイッチの投入によりシステムリレーが付勢されてその第１の接点が閉成されることにより第１のリレーおよび第２のリレーが付勢され、同時に前記第１のリレーの付勢により自己保持接点である第２の接点が閉成されて第１および第２のリレーの自己保持とともに、前記ファンを動作させるための第３のリレーを付勢する第３の接点が閉成され、
さらに前記ファン起動スイッチを前記第３の接点に並列に接続することにより前記加圧システムの起動を条件とすることなく前記ファンを独立に起動し得るように構成するとともに、
前記第２のリレーが付勢されることにより閉成される接点および第３のリレーが付勢されることにより閉成される接点を直列に接続することにより第２のリレーおよび第３のリレーが同時に付勢されている場合のみに前記ランプを点灯させるように構成したことを特徴とする防爆室の加圧システム。
【発明の詳細な説明】
【技術分野】
【０００１】
本発明は防爆室の加圧システムに関し、特に防爆領域に設置された桟橋監視室等を加圧して可燃性ガスの侵入を防止するための加圧システムに適用して有用なものである。
【背景技術】
【０００２】
可燃性のガスを輸送するＬＮＧ船が接岸される桟橋の周囲には、ＬＮＧ搬送用パイプライン等、ＬＮＧの処理のための各種の設備が配設されている。このため、前記桟橋の周辺の一定の範囲が防爆領域となっている。
【０００３】
ここで、桟橋の様子を監視するための桟橋監視室は、通常防爆領域に建てられており、その室内は監視員等が所定の作業を行ったり、休憩したりする空間として利用されている。したがって、桟橋監視室内には、侵入したＬＮＧに対して着火源となり得る機器等が多数存在する。
【０００４】
そこで、万一ＬＮＧが環境に漏洩しても桟橋監視室内には侵入しないよう、室内を加圧して高圧雰囲気としてある。加圧システムは、この種の桟橋監視室等を加圧するものであり、ファンの駆動を制御してこのファンにより桟橋監視室内に空気を送給させることで所定の圧力に加圧するとともに、内部の圧力が前記所定の圧力に維持されるように監視している。
【０００５】
なお、加圧室の防爆に関する公知の刊行物として次の特許文献１を挙げることができる。
【０００６】
【特許文献１】特開２００２−１２７０７３号公報
【発明の開示】
【発明が解決しようとする課題】
【０００７】
従来技術に係る加圧システムにおいて、ファンはその保守、点検等に備え、室内の圧力の監視等の加圧システムの他の機能が停止されている場合でも独立して駆動できるような構成となっている。そして、ファンが駆動されているときには、このことを表すランプが点灯するようになっている。
【０００８】
したがって、ファンの運転状態を表す前記ランプが点灯されていても加圧システムが起動されているとは限らない。
【０００９】
この結果、ファンが運転されているにも拘らず、室内空気の漏洩等により桟橋監視室等の室内が所定の圧力に維持されていない場合も発生する可能性がある。加圧システムの起動・停止を表すランプは設けられておらず、圧力センサによる室内圧力の監視等、加圧システムの全体の起動を前提とする機能が停止されたままであるのに、これに気付かない可能性があるからである。
【００１０】
これに対し、加圧システムの起動・停止を表すランプは設けられていない。したがって、加圧システムの起動・停止を確認しにくく、システムの運転監視に支障をきたしている。
【００１１】
本発明は、上記従来技術に鑑み、ファンの駆動とともに加圧システムの駆動状況も同時に容易に把握し得る防爆室の加圧システムを提供することを目的とする。
【課題を解決するための手段】
【００１２】
上記目的を達成するための本発明の第１の態様は、
ファンを介して加圧空気を室内に供給することにより、前記室内の気圧を高圧に維持し、周囲の環境から前記室内への空気の侵入を防止するように構成するとともに、前記ファンが加圧システムの起動・停止を伴うことなく独立の状態でも起動・停止可能に構成されている防爆室の加圧システムであって、
前記ファンの起動・停止を検出するとともに、当該加圧システムの起動・停止を検出し、前記ファンおよび前記加圧システムの何れもが起動状態の場合にこのことを表すランプを点灯させるように構成した制御系を有し、
前記制御系は、前記加圧システムを起動するためのシステム起動スイッチおよびファン起動スイッチとを有するとともに、
前記システム起動スイッチの投入によりシステムリレーが付勢されてその第１の接点が閉成されることにより第１のリレーおよび第２のリレーが付勢され、同時に前記第１のリレーの付勢により自己保持接点である第２の接点が閉成されて第１および第２のリレーの自己保持とともに、前記ファンを動作させるための第３のリレーを付勢する第３の接点が閉成され、
さらに前記ファン起動スイッチを前記第３の接点に並列に接続することにより前記加圧システムの起動を条件とすることなく前記ファンを独立に起動し得るように構成するとともに、
前記第２のリレーが付勢されることにより閉成される接点および第３のリレーが付勢されることにより閉成される接点を直列に接続することにより第２のリレーおよび第３のリレーが同時に付勢されている場合のみに前記ランプを点灯させるように構成したことを特徴とする防爆室の加圧システムにある。
【発明の効果】
【００１５】
本発明によれば、ファンの駆動及び加圧システムの駆動の両状態が同時に成立しているときのみ、このことを表すランプを点灯させている。この結果、ファンの駆動とともに加圧システムの駆動状況も同時に容易に把握し得る。
【発明を実施するための最良の形態】
【００１６】
以下本発明の実施の形態を図面に基づき詳細に説明する。
【００１７】
図１は本発明の実施の形態に係る防爆室の加圧システムを示すブロック線図である。同図に示すように、加圧システム１は、ＬＮＧ等、可燃性のガスが環境に漏洩しても前記ガスの防爆室内への侵入を防止するべく前記防爆室内を加圧して高圧環境とするためのものである。具体的には、ファン２の駆動を制御して防爆室内に空気を送給することで防爆室内を所定の圧力に加圧する。同時に、圧力センサ３を介して検出した防爆室内の圧力が設定値以上に維持されているか否かを監視する等、防爆室内の圧力を所定の圧力以上に維持するように制御している。この結果、前記圧力が設定値未満になった場合には警報を発するとともに、この事実を中央制御室へ送出する。
【００１８】
ここで、ファン２はその保守、点検等に備え、加圧システム１が停止されている場合でも独立して起動できるような構成となっている。
【００１９】
かかる加圧システム１は、ファン２の駆動を制御する一方、防爆室内の圧力の維持等を行うとともに、必要な警報を発するための制御系を具備している。
【００２０】
図２は本形態に係る加圧システム１における制御系のシーケンス回路を示す回路図である。同図において、ＰＳは加圧システム１（図１参照。以下同じ。）を起動するためのプッシュ釦スイッチ，ＰＲは加圧システム１を停止するためのプッシュ釦スイッチである。ここで、プッシュ釦スイッチＰＳを押圧することによりリレーＲ・Ｓが付勢される。
【００２１】
なお、図中の符号Ｒ・Ｓは、正確にはリレーのコイルであるが、図中の符号Ｒ１，Ｒ２，Ｒ３及びＲ・Ｒを含め、以下の説明では、リレーのコイルをこう呼ぶ。
【００２２】
リレーＲ・Ｓが付勢されることにより、そのａ接点ｒｓ１が閉成される。これにより、リレーＲ１が付勢されてａ接点ｒ１１及びａ接点ｒ１２を閉成する。この結果、プッシュ釦スイッチＰＳの押圧を解除してもリレーＲ１はａ接点ｒ１１の閉成により自己保持されて付勢状態が継続されるとともに、ａ接点ｒ１２の閉成によりリレーＲ３も付勢され、この状態が継続される。この結果、図示はしないが、加圧システム１の全ての機能、例えば防爆室の圧力の監視、所定の警報機能等が起動されるとともに、その駆動状態が継続される。
【００２３】
ここで、リレーＲ３はその付勢によりファン２（図１参照。以下同じ。）を起動させるとともに、消勢により停止させる。したがって、ファン２もプッシュ釦スイッチＰＳの押圧、すなわち加圧システム１の起動に伴い起動され、加圧システム１とともにその駆動が継続されて防爆室内の加圧を行なう。
【００２４】
また、プッシュ釦スイッチＰＳの押圧によるａ接点ｒｓ１の閉成により、同時にリレーＲ２も付勢される。この結果、ランプＬに接続されたａ接点ｒ２が閉成される。一方、ランプＬとともにａ接点ｒ２に直列に接続されたａ接点ｒ３はリレーＲ３の付勢により閉成される。この結果、ファン２とともに加圧システム１が起動されている場合にランプＬが点灯される。一方、ａ接点ｒ２乃至ａ接点ｒ３の何れか一方が開放された状態ではランプＬが点灯されることはない。
【００２５】
ファン２はプッシュ釦スイッチＰＦを押圧することでも起動される。ここでプッシュ釦スイッチＰＦは一度押圧すればその状態が機械的にラッチされ、再度押圧することでラッチを解除する構造のものとしている。したがって、ファン２はプッシュ釦スイッチＰＦを押圧することによりリレーＲ３を付勢することによっても起動させることができる。すなわち加圧システム１の起動を条件とすることなく独立に起動し得る。このように、ファン２のみを独立に駆動した場合には、リレーＲ３が付勢されることによりａ接点ｒ３は閉成されるが、加圧システム１の起動を条件とするａ接点ｒ２は閉成されないので、ランプＬが点灯されることはない。
【００２６】
加圧システム１の停止はプッシュ釦スイッチＰＲを押圧することにより行なう。プッシュ釦スイッチＰＲを押圧すればリレーＲ・Ｒが付勢され、ｂ接点ｒｒが開放されることによりリレーＲ１が消勢されるからである。すなわち、リレーＲ１の消勢によりａ接点ｒ１１及びａ接点ｒ１２が開放される。
【００２７】
かかる本形態によれば、リレーＲ３のａ接点ｒ３がファン２の起動・停止を検出する検出手段として機能するとともに、リレーＲ２のａ接点ｒ２が加圧システム１の起動・停止を検出する検出手段として機能する。そして、ランプＬは両ａ接点ｒ３及びａ接点ｒ４が揃って閉成されているときに点灯するようになっているので、ランプＬの点灯によりファン２とともに加圧システム１も駆動されていることを容易に確認し得る。
【００２９】
上述の如く本形態は、リレーを利用したシーケンス回路で所定の制御系を既存の加圧システム１の制御系にリレーＲ２を１個追加するだけで実現できるため、安価且つ容易に目的を達成できる。
【産業上の利用可能性】
【００３０】
本発明は防爆のために室を加圧する加圧システムの製造・販売乃至運用・保守を行なう産業分野において有効に利用し得る。
【図面の簡単な説明】
【００３１】
【図１】本発明の実施の形態に係る防爆室の加圧システムを示すブロック線図である。
【図２】図１に示す加圧システムにおける制御系のシーケンス回路を示す回路図である。
【符号の説明】
【００３２】
１        加圧システム
２        ファン
３        圧力センサ
Ｌ        ランプ
ＰＦ、ＰＲ、ＰＳ        プッシュ釦スイッチ
Ｒ・Ｒ、Ｒ・Ｓ、Ｒ１，Ｒ２，Ｒ３        リレー
ｒｓ１、ｒ１１、ｒ１２、ｒｒ、ｒ２、ｒ３        接点
【図１】
0005201942.tif 000002
【図２】
0005201942.tif 000003